(57)【特許請求の範囲】
【請求項１】
管体に形成される螺子部に設けられた溝にリングを装着するリング装着器であって、
把持可能なケーシング内を圧縮空気で駆動するピストンに固定され往復移動するロッドと、ケーシングに取付けられ前記ロッドで内側から押し拡げられ先端部が拡径する円錐形状の保持体と、前記保持体の外周部に装着されスライドして先端部に挿入した前記リングを保持体から離脱させる円筒体と、を備え、
前記円筒体の内側に配設され円筒体を保持体の先端部に向かって付勢するスプリングと、
前記ケーシングの外周面から立設されたピンと、
前記円筒体に形成され円筒体を軸廻りに回転させることにより前記ピンに係止され又は係止状態を解除される係止溝と、
を有することを特徴とするリング装着器。
【発明の詳細な説明】
【０００１】
【発明の属する技術分野】
本発明は、管体に形成される螺子部に設けられた溝にリングを装着するリング装着器に関する。
【０００２】
【従来の技術】
図８に示すように、配管７４に形成される螺子部９２に設けられた溝７５にリング７２を装着する方法として、リング７２が螺子山７６を摺動することによりリング７２に傷が入ることを防ぐため、円錐台の治具９０を用いる方法がある。
【０００３】
図９に示すように、配管７４の螺子部９２に円錐台の治具９０を挿入し、指で小端径部から大端径部へリング７２を徐々に転動させていき、図１０に示すように、リング７２を治具９０から離脱させ、溝７５にリング７２を装着する。
【０００４】
しかし、リング７２の転動は、最初は、治具９０の外径が小さいため容易であるが、外径が大きくなっていくに従ってリング７２が拡げられていくために、リング７２の中心方向への応力が増大し、リング７２が転動し難くなる。このため、作業性が悪く大変であった。
【０００５】
また、手作業で無理にリング７２を転動させ、治具９０から離脱させるため、リング７２が捩れてしまい、シール機能を果たさない場合もあった。更に、リング７２を転動させるとき治具９０が動くと作業性が悪いため、治具９０を螺子山７６に内接させて治具９０が動かないようにしていたが、治具９０は固定されているわけではないのでリング７２の装着中に治具９０が動いてしまい、螺子山７６を傷めてしまうという問題が生じていた。
【０００６】
【発明が解決しようとする課題】
本発明は上記事実を考慮し、リングを捩ることなく簡単にリングが装着でき、また、装着時に螺子山を傷めることのないリング装着器を提供することを課題とする。
【０００７】
【課題を解決するための手段】
請求項１に記載の発明は、管体に形成される螺子部に設けられた溝にリングを装着するリング装着器であって、把持可能な大きさのケーシングを備えている。このケーシング内に圧縮空気を導入することにより、ピストンが駆動する。このピストンには、ロッドが固定されておりピストンと共に往復移動する。このロッドがケーシングから押し出されると、ケーシングに取付けられた円錐形状の保持体が内側から押し拡げられ、先端部が管体に形成された螺子山に内接しない大きさまで拡径される。これにともない、保持体の先端部へ挿入したリングも拡径する。
【０００８】
次に、そのままの状態で保持体の先端部を螺子部に挿入し、保持体の外周部に装着された円筒体をスライドさせると、保持体の先端部に挿入されたリングは円筒体に押されて保持体から離脱し、縮径して溝に装着される。
【０００９】
このように、リングを保持体の先端部に挿入し、ピストンを駆動させるだけで、ロッドが保持体の先端部を拡径しリングを拡げるため、リングを保持体の外周面に沿って転動させる必要がない。また、離脱する際も、円筒体でリング全周を押し出すため、リングが捩れることはない。さらに、保持体は螺子山に当たらないためリング装着中に螺子山を傷めることもない。
【００１０】
また、円筒体の内側にはスプリングが配設されており、このスプリングが円筒体を保持体の先端部に向かって付勢する。ケーシングの外周面からはピンが立設されており、このピンに係止される係止溝が円筒体に形成されている。この係止溝は円筒体を軸回りに回転させると位置を変えピンにより係止され又はピンによる係止状態を解除される。
【００１１】
このため、円筒体を回転させるだけで円筒体の係止状態が解除され、円筒体はスプリングの付勢力によって、保持体の先端部に向かって移動し、保持体の先端部に挿入されたリングを簡単に保持体から離脱させることができる。
【００１２】
【発明の実施の形態】
図１及び図２に示すように、本形態に係るリング装着器１０は、作業者が把持可能な大きさの円筒形のケーシング１２を備えている。
【００１３】
図３〜図７に示すように、ケーシング１２の後端口部は、シール用のＯリング１４を介してキャップ１６で閉塞されている。また、ケーシング１２の前端口部にも、キャップ１８がはめ込まれており、キャップ１６とキャップ１８との間に、ピストン２０が往復移動するシリンダー部２２が構成されている。
【００１４】
ピストン２０の中央部には、ロッド２４の後端部がねじ込まれている。このロッド２４には、ばね２６が挿通されている。このばね２６の一端は、ピストン２０に係止され、他端は、キャップ１８に形成された凹部２８の底壁に当たっている。これによって、ピストン２０と共にロッド２４がキャップ１６側へ付勢されている。
【００１５】
キャップ１６の端面には、吸気口３０が形成されており、エアホース３２の先端に設けられた接続金具３４がねじ込まれ、エアコンプレッサーから圧縮空気が導入されるようになっている。吸気口３０は、空気路３６を通じて、円筒状の第１空気室３８と連通している。
【００１６】
第１空気室３８の一方の開口は、ねじ孔４０を通じて外部とつながっている。また、他方の開口は、第１空気室３８より小径の第２空気室４２と連通している。この第２空気室４２は、キャップ１６の側面に凹設された凹部４４を通じて外部とつながっている。
【００１７】
これら第１空気室３８、第２空気室４２、及び凹部４４には、操作ピン４６がスライド可能に挿通されている。操作ピン４６は、第１空気室３８の内径より若干小さい第１ピン部４６Ａ、第２空気室４２の内径より若干小さい第２ピン部４６Ｂ、そして、凹部４４からケーシング１２の外側に突出する頭部４６Ｃとで構成されている。第２ピン部４６Ｂの両端部には、環状の溝が形成されており、この溝にＯリング４８、５０が装着されている。このＯリング４８、５０は、操作ピン４６の位置に応じて第２空気室４２の一方の開口をそれぞれ閉塞するようになっている。
【００１８】
また、第２空気室４２は、キャップ１６のピストン２０側に形成された空気貯留部５２と空気路５４を通じて連通している。さらに、ねじ孔４０には、ボルト５６がねじ込まれ、ねじ孔４０を閉塞している。ボルト５６の芯部には、収納口５８が形成されており、押しばね６０が収納されている。この押しばね６０の端部は、第１ピン部４６Ａの端面と当接し、Ｏリング５０が第２空気室４２の第１空気室３８側の開口を閉じるように付勢している。
【００１９】
このような構成によって、図３に示す状態から、キャップ１６に軸支された作動レバー６２を握って操作ピン４６の頭部４６Ｃを押しばね６０の付勢力に抗して押すと、図４〜図６に示すように、Ｏリング５０が第２空気室４２の第１空気室３８側の開口から離れ、Ｏリング４８が凹部４４側の開口を閉じる。このため、エアコンプレッサーに接続されたエアホース３２から圧送された圧縮空気は、空気路３６、第１空気室３８、第２空気室４２、及び空気路５４を通じて空気貯留部５２に送られる。このため、通常はばね２６でキャップ１６に当接していたピストン２０が、空気圧でキャップ１８側へ移動し、ロッド２４をケーシング１２から押し出す。
【００２０】
一方、作動レバー６２を離すと、図７に示すように、押しばね６０に押されて、操作ピン４６が頭部４６Ｃを突出させる方向へ移動する。このため、Ｏリング５０が第２空気室４２の第１空気室３８側の開口を閉塞し、Ｏリング４８が凹部４４側の第２空気室４２の開口を開放する。これによって、圧縮空気は第１空気室３８から供給されなくなり、反対にシリンダー部２２の空気が、空気路５４、第２空気室４２、及び凹部４４を通じて、外に排気される。
【００２１】
このため、ピストン２０はばね２６の付勢力でキャップ１６側へ押し戻され、キャップ１６と当接した状態となる。これに伴って、ロッド２４もケーシング１２内へ収納される。
【００２２】
また、図２に示すように、キャップ１８の外周面には周廻りに凸部６４が突設されており、キャップ１８に挿通されるスプリング７８の後端部を止めるようになっている。
【００２３】
さらに、キャップ１８の前端口部には、内周面に雌螺子２５が切られており、保持体６８に設けられた雄螺子部６９をねじ込むことができるようになっている。
【００２４】
保持体６８は円錐形状をした筒体で、先端から雄螺子部６９にかけて縦方向へ切り込み７１を入れることにより、外側へたわみ可能な４枚の板ばね７０が形成  されている。
【００２５】
また、図２及び図３に示すように、ロッド２４の先端には円柱状の押子２７が設けられており、ロッド２４がケーシング１２から押し出されると、押子２７が板ばね７０を内側から押し拡げる。このため、保持体６８はばね鋼を用いるのが好ましい。
【００２６】
さらに、キャップ１８へ挿通されたスプリング７８の上から円筒体８０が装着される。円筒体８０の内周面には保持溝６５が形成され、スプリング７８の先端部が保持されている。このスプリング７８により円筒体８０はケーシング１２から押し出される方向へ付勢され、キャップ１８に沿ってスライドする。
【００２７】
また、円筒体８０の前端口部８１の内径は、保持体６８の先端部に挿入され拡径したリング７２の外径よりも小さく、かつ、保持体６８の先端部の外径より大きくなっている。なお、円筒体８０のスライド時における保持体６８との接触を避けるため、保持体６８の前端口部８１の角部をカットして傾斜面を形成してもよい。
【００２８】
一方、円筒体８０には、鉤型の係止溝８２が設けられ、ケーシング１２の凸部６４にねじ込まれたピン６６によりスプリング７８の付勢力に抗して端部８２Ａが係止されるようになっている。これにより、円筒体８０の前端口部８１は保持体６８の先端部から離れた位置で保持される。また、図６に示すように、リング７２を保持体６８から離脱させるには、円筒体８０を軸廻りに回転させ、係止溝８２の端部８２Ｂをピン６６と対応させる。これにより、円筒体８０がスプリング７８の付勢力によってケーシング１２に沿ってスライドする。このため、円筒体８０の先端口部８１が保持体６８に挿入されたリング７２を押し出し保持体６８から離脱させて配管７４の溝７５に装着する。
【００２９】
次に、本形態に係るリング装着器１０の使用形態を説明する。
【００３０】
まず、図７に示すように、円筒体８０が保持体６８の先端側に移動しているので、図３に示すように、スプリング７８の付勢力に抗してキャップ１８に沿ってケーシング１２側にスライドさせた後、円筒体８０を軸廻りに回転させることにより、係止溝８２の端部８２Ａをピン６６に係止させる。次に、保持体６８の先端にリング７２を挿入し、作動レバー６２をケーシング１２側へ押す。
【００３１】
作動レバー６２を押すと、図４に示すように、ケーシング１２内にエアコンプレッサーから圧縮空気が圧送され、キャップ１６に当接していたピストン２０が、空気圧でキャップ１８側へ移動し、ロッド２４をケーシング１２から押し出す。そして、ロッド２４の先端に設けられた押子２７が保持体６８の板ばね７０を内側から押し拡げる。このため、保持体６８の先端に挿入したリング７２は、板ばね７０に合わせて拡径する。
【００３２】
ここで、図５に示すように、板ばね７０の内径を螺子部９２の外径よりも大きく拡径させ、配管７４に保持体６８を挿入する。そして、円筒体８０を軸廻りに回転させてピン６６による係止状態を解除し、スプリング７８の付勢力によってケーシング１２に沿ってスライドさせる。これにより、図６に示すように、円筒体８０の先端口部８１が保持体６８に挿入されたリング７２を押し出し保持体６８から離脱させて配管７４の溝７５に装着する。従って、リング７２装着中に螺子山７６を傷めることもない。
【００３３】
次に、螺子部９２から保持体６８を抜き出し、作動レバー６２を離すと、図７に示すように、ピストン２０はばね２６の付勢力でキャップ１６側へ押し戻され、キャップ１６と当接した状態となる。これに伴って、ロッド２４もケーシング１２内へ収納され保持体６８が縮径する。
【００３４】
なお、多量のリング７２を装着すると、板ばね７０は拡縮して繰返荷重を受けることになる。従って、疲れ限度以下の応力が生ずるように設計しても永久歪は生じてしまうので、保持体６８は本形態のように脱着可能にする方が好ましい。また、配管７４の径に合わせて保持体６８及び円筒体８０を交換することもできる。さらに、表面加工により板ばね７０の摩擦係数を小さくすることにより、円筒体８０を用いず、指でリング７２を保持体６８から離脱させてもよい。
【００３５】
【発明の効果】
本発明は上記構成としたので、リングを捩ることなく簡単にリングが装着でき、また、装着時に螺子山を傷めることがない。
【図面の簡単な説明】
【図１】本形態に係るリング装着器の斜視図である。
【図２】本形態に係るリング装着器の分解斜視図である。
【図３】本形態に係るリング装着器のケーシング部分の断面図である。
【図４】本形態に係るリング装着器のケーシング部分の断面図である。
【図５】本形態に係るリング装着器のケーシング部分の断面図である。
【図６】本形態に係るリング装着器のケーシング部分の断面図である。
【図７】本形態に係るリング装着器のケーシング部分の断面図である。
【図８】従来の治具の断面図である。
【図９】従来の治具の断面図である。
【図１０】従来の治具の断面図である。
【符号の説明】
２４      ロッド
６６      ピン
６８      保持体
７８      スプリング
８０      円筒体
８２      係止溝
【図１】
0004387510.tif 000002
【図２】
0004387510.tif 000003
【図３】
0004387510.tif 000004
【図４】
0004387510.tif 000005
【図５】
0004387510.tif 000006
【図６】
0004387510.tif 000007
【図７】
0004387510.tif 000008
【図８】
0004387510.tif 000009
【図９】
0004387510.tif 000010
【図１０】
0004387510.tif 000011